(57)【要約】【課題】  シャッタレリーズ時にファインダ画像が消失しないように工夫する。【解決手段】  クイックリターンミラー２３は、撮影レンズ１９を通った被写体光を焦点板２７に結像する第２結像位置と、ＣＣＤセンサ２４の受光面２５に結像する第１結像位置との間で回転する。焦点板２７に結像した被写体像は、回転ミラー３３及び再結像正立項光学系３４により第３焦点位置３５に再結像され、再結像した被写体像は接眼レンズ３１で観察される。ファインダ光路内にはＬＣＤモニタ３９が配され、ＬＣＤモニタ３９にはＣＣＤセンサ２４で撮像した画像が表示される。シャッタレリーズに応答してクイックリターンミラー３３がミラーアップ動作すると同時に、回転ミラー３３がＬＣＤモニタ３９に表示される電子画像を再結像正立光学系３４に導く位置に回転してＣＣＤセンサ２４で撮像した画像がファインダ画像として視認される。【選択図】        図２
2006072152.tif 000002
【特許請求の範囲】
【請求項１】
撮影レンズから入射する被写体光を第１の焦点位置に結像させる第１結像位置と、前記被写体光を第２の焦点位置に結像させる第２結像位置との間で移動自在に設けられ、シャッタレリーズに応答して第２結像位置から第１結像位置に移動した後に再び第２結像位置に戻る第１反射手段と、
前記第２の焦点位置に結像した像を第３の焦点位置に再結像正立光学系で正立像となるように再結像するための第１光路と、前記第３の焦点位置に再結像した像を接眼レンズを通して観察させるための第２光路とを有するファインダ光学系と、
前記第１の焦点位置に結像する被写体像を撮像する撮像手段と、
前記第３の焦点位置に対して前記第２の焦点位置までの光路長と同じ位置に表示面が位置するように配されており、前記撮像手段で撮像する被写体画像を前記表示面に表示する表示手段と、
前記第１光路内に配され、且つ、前記表示手段に表示される電子画像の光を前記再結像光学系に導く電子画像表示位置と、前記第２の焦点位置に結像した光学の被写体像を前記再結像光学系に導く光学画像表示位置との間で移動自在となっており、前記第１反射手段が第２結像位置から第１結像位置に向けて移動し再び第２結像位置に戻るまでの間で、前記光学画像表示位置から電子画像表示位置に移動する第２反射手段と、を備えたことを特徴とする電子カメラ。
【請求項２】
前記第１反射手段の移動に連動して前記第２反射手段を移動させる連動手段を備えたことを特徴とする請求項１記載の電子カメラ。
【発明の詳細な説明】
【技術分野】
【０００１】
本発明は、撮影レンズで結像した被写体像を観察する一眼レフタイプの光学ビューファインダを備えた電子カメラに関するものである。
【背景技術】
【０００２】
一般的に、静止画や動画をメモリに記録する電子カメラは、撮影レンズで結像した被写体像をＣＭＯＳセンサやＣＣＤセンサなどの固体撮像素子で撮像し、撮像した画像を外部に設けたＬＣＤモニタにスルー表示する電子ビューファインダを備えている。
【０００３】
しかし、ＬＣＤモニタは、液晶面を背後から照明するバックライトの電力消費が相当に大きい。このため、常にファインダ用の画像としてＬＣＤモニタを使用していると電池容量がなくなり、こうなるとその後の撮影が行えなくなる。このため、予備の電池を持ち歩くか、充電式のバッテリーを用いる場合には途中で充電を行わなければならないという不便を強いられる。
【０００４】
バッテリーの消耗を減らすために、電子ビューファインダを省略して、代わりに、光学ファインダを用いることが広く知られている。光学ファインダには、撮影光学系とは別に独立したタイプと、撮影レンズで結像した被写体像を観察させる一眼レフタイプのファインダとがある。前者は、撮影光軸とファインダ光軸とが大きくずれているためパララックスが生じる点、ファインダ視野を撮像画像の視野よりも小さくする必要がある点、撮影レンズの焦点距離に応じてファインダ光学系の焦点距離を変える必要がある点などの欠点が多く、したがって、後者の一眼レフタイプの光学ファインダを用いることが望まれている。
【０００５】
一眼レフタイプの光学ファインダを用いた電子カメラには、写真用カメラに設けられている可動式のクイックリターンミラーを備えている（特許文献１）。クイックリターンミラーは、従来、一端がカメラボディの内部に軸着され、撮影時以外は斜めに４５度傾いた状態で、撮影レンズからＣＣＤセンサの受光面に到る撮影光路を遮蔽し、且つファインダ光路の方向に被写体光を反射している。そして、撮影時には、この一端を軸として、クリックリターンミラーの他端を４５度撥ね上げるミラーアップ動作により、ファインダ光路を遮蔽し、且つ、撮影光路を形成する。
【特許文献１】特開平６−１６９４２８号公報
【発明の開示】
【発明が解決しようとする課題】
【０００６】
しかし、このような一眼レフ方式のクイックリターンミラーを用いると、シャッタレリーズの一瞬に被写体像がファインダ視野から見えなくなるという問題がある。また、バルブ撮影や動画撮影のときには、クイックリターンミラーがミラーアップ状態に保持されるため、この間、ファインダ画像を視認することができない。
【０００７】
そこで、本発明では、クイックリターンミラーが跳ね上げられているときに、被写体像がファインダ視野から消えないように工夫した電子カメラを提供することを目的とする。
【課題を解決するための手段】
【０００８】
上記目的を達成するため、本発明では、
撮影レンズから入射する被写体光を第１の焦点位置に結像させる第１結像位置と、前記被写体光を第２の焦点位置に結像させる第２結像位置との間で移動自在に設けられ、シャッタレリーズに応答して第２結像位置から第１結像位置に移動した後に再び第２結像位置に戻る第１反射手段と；前記第２の焦点位置に結像した像を第３の焦点位置に再結像正立光学系で正立像となるように再結像するための第１光路と、前記第３の焦点位置に再結像した像を接眼レンズを通して観察させるための第２光路とを有するファインダ光学系と；前記第１の焦点位置に結像する被写体像を撮像する撮像手段と；前記第３の焦点位置に対して前記第２の焦点位置との間の光路長と同じ位置に表示面が位置するように配されており、前記撮像手段で撮像する被写体画像を前記表示面に表示する表示手段と；前記第１光路内に配され、且つ、前記表示手段に表示される画像の光を前記再結像光学系に導く電子画像表示位置と第２の焦点位置に結像した被写体像を前記再結像光学系に導く光学画像表示位置との間で移動自在となっており、前記第１反射手段が第２結像位置から第１結像位置に向けて移動し再び第２結像位置に戻るまでの間で、前記光学画像表示位置から電子画像表示位置に移動する第２反射手段と；を備えたものである。
【０００９】
第１反射手段としては、クイックリターンミラーや回転ミラーを用いることができる。クイックリターンミラーは、前面を反射面とした厚みの薄い平板の一端をボディ内部に軸着し、撮影時以外は撮影光軸に対して斜めに４５度傾いた状態で位置し、反射面で撮影レンズを通った被写体光をファインダ光路の方向に反射している。そして、撮影時には、前記一端の軸を中心にして反射面がほぼ水平となる第１結像位置まで撥ね上げられることにより、ファインダ光路を遮蔽し、かつ、撮影レンズを通った被写体光を第１の焦点位置に結合させる。
【００１０】
回転ミラーを用いる場合には、第１及び第２の焦点位置に結像する結像面に全て平行で、かつ、被写体光の光軸と直角な方向に延びる回転軸を撮影光軸付近に設け、この回転軸を中心に９０度回転させて第１及び第２結像位置との間で回転させればよい。このときの回転方向としては、一方向のみに回転するように構成してもよいし、一方向、他方向との順番に交互に回転するように構成してもよい。
【００１１】
第２反射手段としては、回転ミラー、又はハーフミラーの何れかで構成してもよい。ハーフミラーを用いる場合には、光学の被写体像を観察しているときにも、この光学被写体像に表示手段に表示する画像を合成して観察させることができる。
【００１２】
なお、第１反射手段が第２結像位置に移動したときに第２反射手段を電子画像表示位置に移動させる連動手段を備えるのが好適である。これによれば、第１及び第２反射手段を回転させるための駆動手段を一つにすることができる。
【発明の効果】
【００１３】
本発明によれば、ファインダ光路に第２反射手段を備えているため、シャッタレリーズ中に、撮影レンズを通った光学の被写体像から表示手段に表示される電子被写体画像にファインダ画像が切り替わるため、第１反射手段が第２結像位置に移動している間でもファインダから被写体を観察することができる。また、通常は光学ファインダを用い、シャッタレリーズの瞬間だけＬＣＤモニタを駆動するため、バッテリの消耗を抑えることができる。
【発明を実施するための最良の形態】
【００１４】
本発明の電子カメラの一実施形態を図１に示す。この電子カメラ１０には、外部に、ズーム鏡筒１１、操作部１２、メモリカード装着用スロット１３、接眼窓１４、及び、バッテリー交換蓋１５などが設けられている。操作部１２には、モード切換ダイヤル１６、ズームボタン１７、及び、シャッタボタン１８等がある。モード切換ダイヤル１６は、スチル撮影モード、動画撮影モード、及び再生モードとのうちの何れかにモードを選択する操作部である。鏡筒１１の内部には、撮影レンズ１９及び可動絞りが内蔵されており、撮影レンズ１９はズームボタン１７の操作に連動して焦点距離が可変される。接眼窓１４は、背面に設けられている。
【００１５】
カメラボディの内部には、図２及び図３に示すように、撮影レンズ１９を通った被写体像を第１の焦点位置２１と第２の焦点位置２２とに選択的に切り換えるクイックリターンミラー２３が配されている。第１の焦点位置２１には、ＣＣＤセンサ２４の受光面２５が配されている。第２の焦点位置２２には、ファインダ光路２６に導く被写体像を結像する焦点板２７が配されている。
【００１６】
クイックリターンミラー２３は、前面に反射鏡２８が設けられた板部材であり、一端２９を軸に、第１結像位置（図３に点線で示す位置）と第２結像位置（図３に実線で示す位置）との間で回転する。第１結像位置では、反射鏡２８を撮影光路から退避し、撮影レンズ１９の撮影光軸１９ａの延長線上にある第１の焦点位置２１に被写体像を結像する。第２結像位置では、撮影光軸１９ａに対して反射鏡２８が４５度の姿勢になり、撮影レンズ１９とＣＣＤセンサ２４との間で撮影光軸１９ａに対して撮影光路を直角方向に折り曲げて、撮影光軸１９ａ上においてクイックリターンミラー２３から第１の焦点位置までの距離と同じ第２の焦点位置２２に被写体像を結像する。クイックリターンミラー２３は、第１駆動手段３０の駆動によりシャッタレリーズに応答して第１結像位置に移動され、ＣＣＤセンサ２４で被写体像を撮像した後に第２結像位置に戻される。このクイックリターンミラー２３が第１反射手段を構成する。
【００１７】
接眼窓１４の奥には、リレーレンズである接眼レンズ３１が配され、第２の焦点位置２２から接眼レンズ３１までのファインダ光路には、ファインダ画像切換用ミラー３３、及び再結像正立光学系３４が配されている。再結像正立光学系３４は、入射軸に対して射出軸が平行にずれた位置に射出される１個の直角プリズムとなっており、第２の焦点位置２２に結像する被写体像を、接眼レンズ３１との間に設定した第３の焦点位置３５に再結像させ、再結像した被写体像を接眼レンズ３１によって拡大して観察させる。
【００１８】
ファインダ光路２６は、第１及び第２光路３６，３７で構成されている。第１光路３６は、第２の焦点位置２２に結像した被写体像を第３の焦点位置３５に再結像正立光学系３４で正立像となるように再結像するためのものであり、また、第２光路３７は、接眼レンズ３１を通して前記第３の焦点位置３５に再結像した被写体像を観察させるためのものである。
【００１９】
また、ファインダ光路２６の近傍には、ＬＣＤモニタ３９が組み込まれている。ＬＣＤモニタ３９は、ファインダ光軸２６ａ上においてファインダ画像切換用ミラー３３に対して第２の焦点位置２２との間の長さと同じ位置に表示面４０が位置するように配されており、ＣＣＤセンサ２４で撮像する被写体画像を表示面４０に表示する。
【００２０】
ファインダ画像切換用ミラー３３は、前面に反射鏡４１を設けたミラー板となっており、焦点板２７から再結像正立光学系３４までのファインダ光軸２６ａ上に設けた回転軸４２を中心に反射鏡４１が回転自在となっている。この回転は、第２駆動手段４３の駆動により，電子画像表示位置と光学画像表示位置との間で回転される。電子画像表示位置では、ＬＣＤモニタ３９に表示される電子画像の光を再結像正立光学系３４に導く姿勢となる。光学画像表示位置では、第２の焦点位置２２に結像した光学の被写体像を再結像正立光学系３４に導くように電子画像表示位置に対して９０度回転した姿勢となる。光学画像表示位置から電子画像表示位置に移動するタイミングは、クイックリターンミラー２３が第２結像位置から第１結像位置に向けて移動し再び第２結像位置に戻るまでの間で行われる。
【００２１】
次に上記構成の作用を図４及び図５を参照しながら簡単に説明する。電子カメラ１０の初期状態は、図３（Ａ）に示すように、クイックリターンミラー２３が第２結像位置となっており、また、ファインダ画像切換用ミラー３３が光学画像表示位置となっている。このため、撮影レンズ１９から入射した被写体光は、クイックリターンミラー２３の反射鏡２８で反射され、焦点板２７上に像が逆さになった状態で結像する。この逆さの被写体像は、再結像正立光学系３４により第３の焦点位置３５に正立像として再結像され、その再結像した被写体像が接眼レンズ３１で拡大して観察される。
【００２２】
撮影者がシャッタボタン１８を半押し操作すると、システムコントローラ５０は、ＴＴＬ測光及びＴＴＬ測距を実行する。ＴＴＬ測光及びＴＴＬ測距は、撮影レンズ１９を通った被写体光に基づいて測光と測距とを実行し、得られたＡＥ情報とＡＦ情報とをシステムコントローラ５０に送る。システムコントローラ５０は、ＴＴＬ測距により得られたＡＦ情報に基づいてフォーカスレンズ駆動部５１を制御する。フォーカスレンズ駆動部５１は、ＡＦ信号に基づいて撮影レンズ１９のピントを被写体に合わせる。また、システムコントローラ５０は、ＡＥ情報に基づいて制御絞り値とシャッタ秒時を設定する。
【００２３】
なお、システムコントローラ５０には、ＲＯＭ５２、ＲＡＭ５３が接続されており、また、システムコントローラ５０は、メディアＩ／Ｆ５４、画像処理部５５、ビデオメモリ５６、及びＬＣＤドライバ５７を制御する。ＲＯＭ５２には、該カメラ１０の各種動作を制御するためのプログラムが記憶されており、システムコントローラ５０は、そのプログラムにしたがって各部を制御する。ＲＡＭ５３は、ＡＥ情報などプログラム実行時に必要な各種変数などが一時的に書き込まれるワークメモリとして利用される。
【００２４】
シャッタボタン１８の全押し操作（シャッタレリーズ）を行うと、これに応答してシステムコントローラ５０が第１駆動手段３０を駆動してクイックリターンミラー２３を第１結像位置に回転させる。また、このタイミングに応答してシステムコントローラ５０が第２駆動手段４３を駆動して、ファインダ画像切換用ミラー３３を電子画像表示位置に回転させる。これにより、図３（Ｂ）に示す状態になる。
【００２５】
なお、鏡筒１１には絞り駆動手段５９により駆動される可動絞り５８が、またＣＣＤセンサ２４とクイックリターンミラー２３との間にはシャッタ駆動手段６０により駆動されるフォーカルプレーンシャッタ６１がそれぞれ配置されている。システムコントローラ５０は、シャッタレリーズに応答してクイックリターンミラー２３を第１結像位置に回転させるミラーアップ動作を開始すると同時に、制御絞り値に基づいて絞り駆動手段５９を制御して、可動絞り５８を開放値から制御絞り値に絞り込み、その絞り位置を保持する。
【００２６】
クイックリターンミラー２３は、第１結像位置に回転すると、一端２９を中心にして反時計方向に９０度回転して撮影光路から退避する姿勢となる。そして、可動絞り５８が制御絞り値に到達する所定時間経過後にシステムコントローラ５０は、シャッタ秒時に基づいてシャッタ駆動手段６０を駆動し、フォーカルプレーンシャッタ６１を構成する先膜を走行させ、シャッタ秒時に対応した遅延時間後に後膜を走行させる。このシャッタ開中にＣＣＤセンサ２４が受光面２５で被写体光を受光する。
【００２７】
システムコントローラ５０は、ＣＣＤ駆動部６２を駆動制御しており、ＣＣＤ駆動部６２は、ＣＣＤセンサ２４を制御してシャッタ開中に蓄積した被写体光を光電変換する。変換したアナログ信号は、Ａ／Ｄ変換器６３に送られ、ここでデジタル変換されて画像データが生成される。その画像データは、バスライン６４を介して画像処理部５５に送られる。
【００２８】
Ａ／Ｄ変換器6 3 から送られる画像データは、画像処理部５５に取り込まれ、ここでガンマ補正、ホワイトバランスの調節などが行われた後に、ビデオメモリ５６にいったん書き込まれる。システムコントローラ５０は、ビデオメモリ５６から画像データを読み出して、これをＬＣＤドライバ５７に送るよう制御する。ＬＣＤドライバ５７は、画像データをエンコードして撮像画像をＬＣＤモニタ３９に表示させる。
【００２９】
なお、ＬＣＤモニタ３９は、表示器とバックライト照明器とから構成されており、これらはＬＣＤドライバ５７及びシステムコントローラ５０により駆動が制御されている。システムコントローラ５０は、ＣＣＤセンサ２４での蓄積完了後に、表示器とバックライト照明器とを消灯状態から点灯状態に切り換える。このときビデオメモリ５６から読み出してエンコードした画像データが表示器に表示される。
【００３０】
ＬＣＤモニタ３９に表示される画像は、ファインダ画像切換用ミラー３３を介して再結像正立光学系３４に導かれ、再結像正立光学系３４により第３の焦点位置３５に結像される。この像は、ＬＣＤモニタ３９に表示される電子画像となっており、この電子画像が接眼レンズ３１で拡大して観察される。これにより、クイックリターンミラー２３がミラーアップ動作中でもファインダ画像が消失することはない。
【００３１】
また、システムコントローラ５０は、画像処理部５５に取り込んだ画像データを読み出し、読み出した画像データを通信Ｉ／Ｆ５４を介してメモリカード７０に記録する。このとき、画像データは圧縮した形態で記録される。
【００３２】
フォーカルプレーンシャッタ６１の後膜走行が完了した後には、ＣＣＤセンサ２４の蓄積が完了し、１フレーム分の画像信号がビデオメモリ５６に記憶される。ＬＣＤモニタに表示するためにビデオメモリ５６から画像データを読み出した後に、システムコントローラ５０は、第１駆動手段３０を制御してクイックリターンミラー２３を第２結像位置に回転させ、また、同時に第２駆動手段４３もファインダ画像切換用ミラー３３を光学画像表示位置に回転させ、さらに、同時に可動絞り５８を開放値に復帰させる。そして、最後に、次の撮影準備のためにフォーカルプレーンシャッタ６１をチャージアップしておく。これにより、撮像完了後には、図３（Ａ）に示す状態に戻り、第２焦点位置に結像する被写体像（光学画像）が接眼レンズで拡大して観察される。
【００３３】
なお、長時間露出で撮影するバルブ撮影や動画を撮影するときには、クイックリターンミラー２３を第１結像位置に、また、ファインダ画像切換用ミラー３３を電子画像表示位置にそれぞれ維持した状態で撮像する。この撮像期間中は、従来技術で説明したものではクイックリターンミラーが第１結像位置にミラーアップしたままであるため、ファインダ画像が表示されないので、そのような長時間露出での撮像モードを予めカメラに備えることができなかったのに対し、本願発明では、撮像中の画像をファインダ画像として視認させることができる。このファインダ画像は、スルー画像となるため、被写体が動体の場合、被写体像を見ながらフレーミングを変えることができ、一眼レフタイプの電子カメラ１０の興趣を増すことができる。
【００３４】
上記実施形態では、クイックリターンミラー２３を駆動する第１駆動手段３０と、ファインダ画像切換用ミラー３３を駆動する第２駆動手段４３との別々の駆動手段で駆動しているが、本発明ではこれに限らず、クイックリターンミラー２３とファインダ画像切換用ミラー３３とをギヤ列などの連動機構で連動し、１個の駆動手段でクイックリターンミラー２３を駆動させ、そのクイックリターンミラー２３が第２結像位置に移動したときにファインダ画像切換用ミラー３３が光学画像表示位置に、また第１結像位置に移動したときには電子画像表示位置に移動するように構成してもよい。さらに、連動機構としては、ギヤ列以外に、リンク機構などを用いることができる。
【００３５】
また、上記実施形態では、撮影光路にクイックリターンミラー２３を設けているが、これを省略し、代わりに、図６に示すように、撮影光軸１９ａ上にあたる中央部に軸７１を備えた回転ミラー７２を設けてもよい。この場合、回転ミラー７２に対して第１及び第２焦点位置２１，２２とが対向する位置で、且つ撮影光軸１９ａに対して直交する位置にそれぞれ配されている。そして、シャッタレリーズに応答して図６（Ｂ）に示すように、撮影光路にある回転ミラー７２が軸７１を中心として反時計方向に９０度回転し、また、ファインダ画像切換用ミラー３３も反時計方向に９０度回転する。これらの回転も連動機構により連動させるように構成するのが好適である。
【００３６】
また、ファインダ画像切換用ミラー３３としては、図２で説明した回転ミラーのタイプに限らず、代わりに、図７（Ａ）に示すように、ファインダ光路上に設けたクイックリターンミラー７４を採用してもよい。このクイックリターンミラー７４は、一端７５を中心として、第２焦点位置２２に結像する光学画像を再結像正立光学系３４に導く光学画像表示位置（図７（Ａ））に示す位置）と、ファインダ光路から退避してＬＣＤモニタ３９に表示する電子画像を再結像正立光学系３４に導く電子画像表示位置（図７（Ｂ））に示す位置）との間で回転する。この場合、ＬＣＤモニタ３９は、再結像正立光学系３４の入射軸３４ａの直線上に配されている。
【００３７】
さらに、図７で説明したファインダ画像切換用のクイックリターンミラー７４の代わりに、固定のハーフミラーを用いてもよい。ハーフミラーを用いる場合には、通常ＬＣＤモニタを構成する表示器及びバックライト照明器とをＯＦＦしている期間中は、撮影レンズを透過した光学の被写体光がファインダ画像として視認され、表示器及びバックライト照明器とを駆動すればＬＣＤモニタの電子画像も光学画像に合成してファインダ画像として視認させることができる。
【００３８】
また、バルブ撮影や動画撮影においては、ファインダを覗くよりも外部に露呈したＬＣＤモニタを直視するアングルの方が好適な場合がある。上記実施形態では、ファインダ画像表示用のＬＣＤモニタ３９を固定にしている。そこで、ファインダに表示面４０の画像を表示する位置と、表示面４０がカメラボディの外部に露呈する位置との間でＬＣＤモニタ３９を回転自在に設け、外部に露呈したときに直視モニタや自分撮りモニタとして利用することができるように構成してもよい。図２で説明した構成によれば、再結像正立光学系３４の入射軸３４ａと射出軸３４ｂとが水平方向にずれているため、ＬＣＤモニタ３９の上がカメラボディの上面に近い構造となっている。このため、ＬＣＤモニタ３９をその位置で回転させれば表示面４０をボディ外部に容易に露呈させることができる。
【図面の簡単な説明】
【００３９】
【図１】本発明の一眼レフタイプの電子カメラを示す斜視図である。
【図２】電子カメラの撮影光路とファインダ光路との概略を示す斜視図である。
【図３】図２で説明した撮影光路とファインダ光路との概略を示す側面図であり、（Ａ）はフレーミング時の状態、（Ｂ）は撮像時の状態を示している。
【図４】電子カメラの電気的構成を示すブロック図である。
【図５】電子カメラの動作を示すタイミングチャート図である。
【図６】撮影光路に配したクイックリターンミラーの代わりに回転ミラーを用いた他の実施形態を示す側面図であり、（Ａ）はフレーミング時の状態、（Ｂ）は撮像時の状態を示している。
【図７】ファインダ光路に配した回転ミラーの代わりにクイックリターンミラーを用いた他の実施形態を示す側面図であり、（Ａ）はフレーミング時の状態、（Ｂ）は撮像時の状態を示している。
【符号の説明】
【００４０】
１０  電子カメラ
１９  撮影レンズ
２３  クイックリターンミラー
２４  ＣＣＤセンサ
２７  焦点板
３１  接眼レンズ
３３  ファインダ画像切換用ミラー
３４  再結像正立光学系
３９  ＬＣＤモニタ
【図１】
2006072152.tif 000003
【図２】
2006072152.tif 000004
【図３】
2006072152.tif 000005
【図４】
2006072152.tif 000006
【図５】
2006072152.tif 000007
【図６】
2006072152.tif 000008
【図７】
2006072152.tif 000009